(57)【要約】【課題】直観的な操作により動画像の編集位置を決定することができる録画装置及びテレビ受像装置を提供する。【解決手段】表示部と、該表示部の画面に重畳して設けられたタッチパネルとを備え、該タッチパネルからの操作に基づいて、記録媒体に記録された動画像を編集する録画装置において、前記動画像から複数の異なる時間間隔毎に画像を各複数抽出する抽出手段と、該抽出手段が抽出した複数の画像を、同一時間間隔で抽出された画像群毎に異なる態様で前記画面に表示する表示手段と、該表示手段が表示した複数の画像の前記画面における各位置及び前記タッチパネルが検出した接触位置に基づいて、前記動画像の編集位置を決定する決定手段とを備える。【選択図】図１２
2012175281.tif 000002
【特許請求の範囲】
【請求項１】
表示部と、
該表示部の画面に重畳して設けられたタッチパネルと
を備え、
該タッチパネルからの操作に基づいて、記録媒体に記録された動画像を編集する録画装置において、
前記動画像から複数の異なる時間間隔毎に画像を各複数抽出する抽出手段と、
該抽出手段が抽出した複数の画像を、同一時間間隔で抽出された画像群毎に異なる態様で前記画面に表示する表示手段と、
該表示手段が表示した複数の画像の前記画面における各位置及び前記タッチパネルが検出した接触位置に基づいて、前記動画像の編集位置を決定する決定手段と
を備えることを特徴とする録画装置。
【請求項２】
前記抽出手段は前記動画像から二つの異なる時間間隔毎に画像を各複数抽出するようにしてあり、
前記表示手段は、前記抽出手段が抽出した複数の画像を、同一時間間隔で抽出された二つの画像群毎に異なる態様で前記画面に表示するようにしてある
ことを特徴とする請求項１に記載の録画装置。
【請求項３】
前記表示手段が前記画面に表示した複数の画像の一つに対する所定の接触操作を検出する検出手段を備え、
前記抽出手段は、前記検出手段が一つの画像に対する所定の接触操作を検出した場合、該一つの画像に対応する前記動画像の再生位置から近い位置の画像を短い時間間隔で抽出し、該再生位置から遠い位置の画像を長い時間間隔で抽出するようにしてあり、
前記表示手段は、前記検出手段が所定の接触操作を検出した場合、該所定の接触操作の方向及び操作速度に応じて、前記二つの画像群を異なる態様で前記画面に表示するようにしてある
ことを特徴とする請求項２に記載の録画装置。
【請求項４】
前記画面に所定の絵文字を表示する絵文字表示手段と、
該絵文字表示手段が表示した所定の絵文字の前記画面における位置及び前記タッチパネルが検出した接触位置に基づいて、該所定の絵文字が選択されたか否かを判定する判定手段と
を備え、
前記決定手段は、前記判定手段により所定の絵文字が選択されたと判定された場合、前記動画像の編集位置を決定するようにしてある
ことを特徴とする請求項２又は請求項３に記載の録画装置。
【請求項５】
前記表示手段は前記二つの画像群を異なる二列に配列して前記画面に表示するようにしてある
ことを特徴とする請求項２から請求項４までのいずれか一項に記載の録画装置。
【請求項６】
前記異なる二列は交差する
ことを特徴とする請求項５に記載の録画装置。
【請求項７】
前記動画像を再生する再生手段と、
該再生手段が再生する動画像の再生位置を示すインジケータを前記画面に表示するインジケータ表示手段と、
該インジケータ表示手段が表示したインジケータに対するドラッグ操作を検出するドラッグ操作検出手段と
を備え、
前記再生手段は、前記ドラッグ操作検出手段が検出したドラッグ操作の方向及び操作量に応じて前記動画像の再生位置を変更し、該ドラッグ操作の方向に応じて該動画像の再生を一時停止するようにしてある
ことを特徴とする請求項２から請求項６までのいずれか一項に記載の録画装置。
【請求項８】
前記インジケータに対する所定の接触操作を検出する接触操作検出手段と、
該接触操作検出手段が所定の接触操作を検出した場合、前記再生手段が前記動画像の再生を一時停止した位置を特定する特定手段と
を備え、
前記抽出手段は、前記特定手段が特定した位置から近い位置の画像を短い時間間隔で抽出し、該位置から遠い位置の画像を長い時間間隔で抽出するようにしてある
ことを特徴とする請求項７に記載の録画装置。
【請求項９】
前記動画像のサムネイル画像を前記画面に複数表示するサムネイル表示手段を備え、
該サムネイル表示手段は、前記再生手段が前記動画像の再生を一時停止した位置前後の複数位置に夫々対応する複数のサムネイル画像を表示するようにしてある
ことを特徴とする請求項７に記載の録画装置。
【請求項１０】
前記インジケータは前記動画像の録画時間以下の時間の長さを示す画面構成部品を含み、
該画面構成部品が示す時間の長さを変更する変更手段と
を備え、
前記変更手段は、前記接触操作検出手段が前記インジケータに対する所定の接触操作を検出した場合、前記画面構成部品が示す時間の長さを変更するようにしてある
ことを特徴とする請求項８に記載の録画装置。
【請求項１１】
制御信号が含まれたデータを送受信する遠隔操作手段と、
該遠隔操作手段との間で前記データを送受信する送受信部と
を備え、
前記表示部及びタッチパネルは前記遠隔操作手段に設けられている
ことを特徴とする請求項１から請求項１０までのいずれか一項に記載の録画装置。
【請求項１２】
前記決定手段が決定した編集位置に基づいて編集された前記動画像、又は該編集位置と関連付けられた前記動画像を、前記記録媒体から該記録媒体とは別の記録媒体にダビングする手段を備える
ことを特徴とする請求項１から請求項１１までのいずれか一項に記載の録画装置。
【請求項１３】
請求項１から請求項１２までのいずれか一項に記載の録画装置と、
テレビ放送を受信する受信部と、
該受信部が受信したテレビ放送に係る動画像を前記表示部の画面に表示する手段と
を備え、
前記録画装置は前記受信部が受信したテレビ放送に係る動画像を録画する手段を有する
ことを特徴とするテレビ受像装置。
【請求項１４】
請求項１から請求項１２までのいずれか一項に記載の録画装置と、
テレビ放送を受信する受信部と、
前記受信部が受信したテレビ放送に係る動画像を表示する動画像表示部と
を備え、
前記表示部及びタッチパネルは前記動画像表示部に設けられており、
前記録画装置は前記受信部が受信したテレビ放送に係る動画像を録画する手段を有する
ことを特徴とするテレビ受像装置。
【発明の詳細な説明】
【技術分野】
【０００１】
本発明は、記録媒体に記録された動画像を編集する録画装置及びテレビ受像装置に関する。
【背景技術】
【０００２】
ハードディスク、光ディスク等の記録媒体に記録された動画像について、特定の動画像部分を消去又は複製する等の編集が行われる。かかる場合、動画像における編集開始位置と編集終了位置とを指定する必要がある。特許文献１には、タッチパネルのどの領域をドラッグしたかに応じて動画像の再生速度を切り替えることができる表示制御装置が開示されている。特許文献１に記載された発明を動画像の編集に利用した場合、動画像を様々な再生速度で再生させながら、所望の編集位置を探すことができる。
【先行技術文献】
【特許文献】
【０００３】
【特許文献１】特開２０１０−１７６５７５号公報
【発明の概要】
【発明が解決しようとする課題】
【０００４】
しかしながら、特許文献１に記載された発明を動画像の編集に利用した場合、再生中の画像を確認することはできるが、編集位置の前後のシーンを対比して編集位置を決定することはできない。そのため、編集位置を探している間に所望の編集位置より先に進んでしまうことがあり、編集作業に手間がかかる。
【０００５】
本発明は斯かる事情に鑑みてなされたものである。その目的は、直観的な操作により動画像の編集位置を決定することができる録画装置及びテレビ受像装置を提供することである。
【課題を解決するための手段】
【０００６】
本願に係る録画装置は、表示部と、該表示部の画面に重畳して設けられたタッチパネルとを備え、該タッチパネルからの操作に基づいて、記録媒体に記録された動画像を編集する録画装置において、前記動画像から複数の異なる時間間隔毎に画像を各複数抽出する抽出手段と、該抽出手段が抽出した複数の画像を、同一時間間隔で抽出された画像群毎に異なる態様で前記画面に表示する表示手段と、該表示手段が表示した複数の画像の前記画面における各位置及び前記タッチパネルが検出した接触位置に基づいて、前記動画像の編集位置を決定する決定手段とを備えることを特徴とする。
【０００７】
本願に係る録画装置では、抽出手段及び表示手段を備えている。抽出手段は、記録媒体に記録された動画像から複数の異なる時間間隔毎に夫々複数の画像を抽出する。表示手段は、抽出された複数の画像を、同一の時間間隔で抽出された画像群として異なる態様で表示部の画面に表示する。録画装置は、表示手段が表示部の画面に表示した複数の画像の画面における位置と、表示部の画面に重畳して設けられたタッチパネルが検出した接触位置とに基づいて、記録媒体に記録された動画像の編集位置を決定する。
【０００８】
本願に係る録画装置は、前記抽出手段は前記動画像から二つの異なる時間間隔毎に画像を各複数抽出するようにしてあり、前記表示手段は、前記抽出手段が抽出した複数の画像を、同一時間間隔で抽出された二つの画像群毎に異なる態様で前記画面に表示するようにしてあることを特徴とする。
【０００９】
本願に係る録画装置では、抽出手段は、記録媒体に記録された動画像から二つの異なる時間間隔毎に夫々複数の画像を抽出する。表示手段は、抽出された複数の画像を、同一の時間間隔で抽出された二つの画像群として異なる態様で表示部の画面に表示する。
【００１０】
本願に係る録画装置は、前記表示手段が前記画面に表示した複数の画像の一つに対する所定の接触操作を検出する検出手段を備え、前記抽出手段は、前記検出手段が一つの画像に対する所定の接触操作を検出した場合、該一つの画像に対応する前記動画像の再生位置から近い位置の画像を短い時間間隔で抽出し、該再生位置から遠い位置の画像を長い時間間隔で抽出するようにしてあり、前記表示手段は、前記検出手段が所定の接触操作を検出した場合、該所定の接触操作の方向及び操作速度に応じて、前記二つの画像群を異なる態様で前記画面に表示するようにしてあることを特徴とする。
【００１１】
本願に係る録画装置では、表示部の画面に表示した複数の画像の一つに対する所定の接触操作を検出する。抽出手段は、一つの画像に対して所定の接触操作が検出された画像に対応する動画像の再生位置から近い位置の画像を短い時間間隔で抽出する。また、抽出手段は、一つの画像に対して所定の接触操作が検出された画像に対応する動画像の再生位置から遠い位置の画像を長い時間間隔で抽出する。表示手段は、検出された所定の接触操作の方向及び操作速度に応じて、前記二つの画像群を異なる態様で表示部の画面に表示する。
【００１２】
本願に係る録画装置は、前記画面に所定の絵文字を表示する絵文字表示手段と、該絵文字表示手段が表示した所定の絵文字の前記画面における位置及び前記タッチパネルが検出した接触位置に基づいて、該所定の絵文字が選択されたか否かを判定する判定手段とを備え、前記決定手段は、前記判定手段により所定の絵文字が選択されたと判定された場合、前記動画像の編集位置を決定するようにしてあることを特徴とする。
【００１３】
本願に係る録画装置では、表示部の画面に所定の絵文字を表示する。表示された所定の絵文字の画面における位置及びタッチパネルが検出した接触位置に基づいて、所定の絵文字が選択されたか否かを判定する。所定の絵文字が選択されたと判定した場合、表示部の画面に表示された複数の画像の画面における位置と、表示部の画面に重畳して設けられたタッチパネルが検出した接触位置とに基づいて、記録媒体に記録された動画像の編集位置を決定する。
【００１４】
本願に係る録画装置は、前記表示手段は前記二つの画像群を異なる二列に配列して前記画面に表示するようにしてあることを特徴とする。
【００１５】
本願に係る録画装置では、表示手段は同一の時間間隔で抽出された二つの画像群を異なる二列に配列して表示部の画面に表示する。
【００１６】
本願に係る録画装置は、前記異なる二列は交差することを特徴とする。
【００１７】
本願に係る録画装置では、表示手段は同一の時間間隔で抽出された二つの画像群を異なりかつ交差する二列に配列して表示部の画面に表示する。
【００１８】
本願に係る録画装置は、前記動画像を再生する再生手段と、該再生手段が再生する動画像の再生位置を示すインジケータを前記画面に表示するインジケータ表示手段と、該インジケータ表示手段が表示したインジケータに対するドラッグ操作を検出するドラッグ操作検出手段とを備え、前記再生手段は、前記ドラッグ操作検出手段が検出したドラッグ操作の方向及び操作量に応じて前記動画像の再生位置を変更し、該ドラッグ操作の方向に応じて該動画像の再生を一時停止するようにしてあることを特徴とする。
【００１９】
本願に係る録画装置では、動画像を再生する再生手段を備えている。再生手段が再生する動画像の再生位置を示すインジケータが画面に表示される。インジケータに対するドラッグ操作の方向及び操作量に応じて動画像の再生位置は変更され、インジケータに対するドラッグ操作の方向に応じて動画像の再生は一時停止される。
【００２０】
本願に係る録画装置は、前記インジケータに対する所定の接触操作を検出する接触操作検出手段と、該接触操作検出手段が所定の接触操作を検出した場合、前記再生手段が前記動画像の再生を一時停止した位置を特定する特定手段とを備え、前記抽出手段は、前記特定手段が特定した位置から近い位置の画像を短い時間間隔で抽出し、該位置から遠い位置の画像を長い時間間隔で抽出するようにしてあることを特徴とする。
【００２１】
本願に係る録画装置では、インジケータに対する所定の接触操作が検出された場合、動画像の再生停止位置が特定される。そして、特定された位置から近い位置の画像を短い時間間隔で抽出し、特定された位置から遠い位置の画像を長い時間間隔で抽出するようにしてある。
【００２２】
本願に係る録画装置は、前記動画像のサムネイル画像を前記画面に複数表示するサムネイル表示手段を備え、該サムネイル表示手段は、前記再生手段が前記動画像の再生を一時停止した位置前後の複数位置に夫々対応する複数のサムネイル画像を表示するようにしてあることを特徴とする。
【００２３】
本願に係る録画装置では、動画像の再生が一時停止された位置前後の複数位置に夫々対応する動画像のサムネイル画像が画面に複数表示される。
【００２４】
本願に係る録画装置で、前記インジケータは前記動画像の録画時間以下の時間の長さを示す画面構成部品を含み、該画面構成部品が示す時間の長さを変更する変更手段とを備え、前記変更手段は、前記接触操作検出手段が前記インジケータに対する所定の接触操作を検出した場合、前記画面構成部品が示す時間の長さを変更するようにしてあることを特徴とする。
【００２５】
本願に係る録画装置では、インジケータは動画像の録画時間以下の時間の長さを示す画面構成部品を含んでいる。インジケータに対する所定の接触操作が検出された場合、画面構成部品が示す時間の長さは変更される。
【００２６】
本願に係る録画装置は、制御信号が含まれたデータを送受信する遠隔操作手段と、該遠隔操作手段との間で前記データを送受信する送受信部とを備え、前記表示部及びタッチパネルは前記遠隔操作手段に設けられていることを特徴とする。
【００２７】
本願に係る録画装置では、制御新号を含むデータを送信する遠隔操作手段を備えている。遠隔操作手段は、送受信部との間でデータの送受信を行う。また、遠隔操作手段には、表示部とタッチパネルとが設けられている。
【００２８】
本願に係る録画装置は、前記決定手段が決定した編集位置に基づいて編集された前記動画像、又は該編集位置と関連付けられた前記動画像を、前記記録媒体から該記録媒体とは別の記録媒体にダビングする手段を備えることを特徴とする。
【００２９】
本願に係る録画装置では、決定された編集位置に基づいて編集された動画像、又は編集位置と関連付けられた動画像を、記録媒体から別の記録媒体にダビングする。
【００３０】
本願に係るテレビ受像装置は、上述に記載したいずれか一つの録画装置と、テレビ放送を受信する受信部と、該受信部が受信したテレビ放送に係る動画像を前記表示部の画面に表示する手段とを備え、前記録画装置は前記受信部が受信したテレビ放送に係る動画像を録画する手段を有することを特徴とする。
【００３１】
本願に係るテレビ受像装置では、上述した録画装置を備え、受信したテレビ放送に係る動画像を表示部の画面に表示する。テレビ受像装置に備えられた録画装置は、受信したテレビ放送に係る動画像を録画する。
【００３２】
本願に係るテレビ受像装置は、上述に記載したいずれか一つの録画装置と、テレビ放送を受信する受信部と、前記受信部が受信したテレビ放送に係る動画像を表示する動画像表示部とを備え、前記表示部及びタッチパネルは前記動画像表示部に設けられており、前記録画装置は前記受信部が受信したテレビ放送に係る動画像を録画する手段を有することを特徴とする。
【００３３】
本願に係るテレビ受像装置では、受信したテレビ放送に係る動画像を表示する動画像表示部を備えている。動画像表示部には、表示部とタッチパネルとが備えられている。テレビ受像装置は、上述した録画装置を備え、録画装置は受信したテレビ放送に係る動画像を録画する。
【発明の効果】
【００３４】
本願に係る録画装置等によれば、直観的な操作により動画像の編集位置を決定することができる。
【図面の簡単な説明】
【００３５】
【図１】録画装置の内部構成の一例を示すブロック図である。
【図２】録画リスト画面の一例を示す説明図である。
【図３】シーン消去画面の一例を示す説明図である。
【図４】シーン消去画面の一例を示す説明図である。
【図５】シーン消去画面にサムネイル画像を表示するまでの処理の手順を示すフローチャートである。
【図６】シーン消去画面にサムネイル画像を表示するまでの処理の手順を示すフローチャートである。
【図７】シーン消去画面の一例を示す説明図である。
【図８】シーン消去画面の一例を示す説明図である。
【図９】サムネイル画像選択から消去実行までの処理の手順を示すフローチャートである。
【図１０】サムネイル画像選択から消去実行までの処理の手順を示すフローチャートである。
【図１１】サムネイル画像選択から消去実行までの処理の手順を示すフローチャートである。
【図１２】シーン消去画面の一例を示す説明図である。
【図１３】実施の形態３に係る録画装置の内部構成の一例を示すブロック図である。
【図１４】ダビングタイトル選択画面の一例を示す説明図である。
【図１５】テレビ受像装置の内部構成の一例を示すブロック図である。
【発明を実施するための形態】
【００３６】
以下、本発明の一実施例における録画装置を、実施の形態を示す図面に基づいて説明する。本実施の形態に係る録画装置は、例えばＢＤ（Blu-ray Disc、登録商標）レコーダ、ＤＶＤ（Digital Versatile Disk）レコーダ、ハードディスクレコーダ等を含む。以下では、録画装置の一例として、ディスクドライブとハードディスクドライブとを備えた録画装置を挙げて説明する。
なお、本発明は、以下の実施の形態に限定されるものではない。
【００３７】
実施の形態１
図１は、録画装置１の内部構成の一例を示すブロック図である。録画装置１は、ディスクドライブ部（再生手段、ダビングする手段、録画する手段）２及びＨＤ（ハードディスク）ドライブ部（再生手段、ダビングする手段、録画する手段）３を含む。
【００３８】
ディスクドライブ部２は、ディスクドライブ２１、ドライブ制御部２２及びインタフェース部２３を含む。
ディスクドライブ２１には、ＤＶＤ、ＢＤ等の可搬性を有するディスク（記録媒体）Ｄが着脱可能に挿入される。ディスクドライブ２１は、ディスクＤに記録された映像データを読み出し、信号処理部４に出力する。ディスクドライブ２１は、自身に入力された映像データを挿入されたディスクＤに記録する。
なお、録画の形態は、ディスクドライブ２１を用いてディスクＤに映像データを記録することに限らない。例えば、録画の形態は、ディスクドライブ２１の代りに携帯型のディスクレコーダ、メモリカード又はフラッシュメモリ等をディスクドライブ部２に接続あるいは内蔵する形態であってもよい。
【００３９】
ドライブ制御部２２は、ＣＰＵ（Central Processing Unit）、ＭＰＵ（Micro Processor Unit）等のプロセッサであり、ディスクドライブ部２の各構成部を制御する。
インタフェース部２３は、ＳＡＴＡ（Serial Advanced Technology Attachment）規格又はＡＴＡ（Advanced Technology Attachment）規格のインタフェースであり、信号処理部４と接続されている。
ディスクドライブ部２は、インタフェース部２３を介して信号処理部４との間でデータの交換をする。ディスクドライブ部２の各構成部は、システムバス２ｂ上に接続されており、ドライブ制御部２２の指示により、データの受け渡しが行われる。
【００４０】
ＨＤドライブ部３は、ハードディスク３１、ＨＤＤ制御部３２及びインタフェース部３３を含む。
ハードディスク（記録媒体）３１は、記録された画像及び音声データを読み出し、インタフェース部３３を介して信号処理部４に出力する。ハードディスク３１は、自身に入力された画像及び音声データを記録する。
ＨＤＤ制御部３２は、ＣＰＵ、ＭＰＵ等のプロセッサであり、ＨＤドライブ部３の各構成部を制御する。
【００４１】
インタフェース部３３は、ＳＡＴＡ規格又はＡＴＡ規格のインタフェースであり、信号処理部４と接続されている。
ＨＤドライブ部３は、インタフェース部３３を介して信号処理部４との間でデータの交換をする。ＨＤドライブ部３の各構成部は、システムバス３ｂ上に接続されており、ＨＤＤ制御部３２の指示により、データの受け渡しが行われる。
【００４２】
録画装置１は、信号処理部４、表示部５及びタッチパネル６を含む。
信号処理部４は、デジタルチューナ（受信部）４１、エンコーダ４２及びデジタル信号処理部４３を含む。
デジタルチューナ４１は、外部のアンテナＡが受信したＢＳ（放送衛星）デジタル放送、ＣＳ（通信衛星）デジタル放送、地上デジタル放送等の放送信号を受け付ける。デジタルチューナ４１は、受け付けた放送信号のうち、選局されたチャンネル即ち特定の周波数帯の放送信号をＭＰＥＧ（Moving Picture Experts Group）−２ＴＳ（Transport Stream）等のデジタルのストリームデータに変換する。
【００４３】
エンコーダ４２は、外部の再生装置、ネットワークにより接続されたサーバ装置、ケーブルテレビの回線等から映像信号及び音声信号を受け付ける。エンコーダ４２は、外部から受け付けた映像信号及び音声信号をＭＰＥＧ−２ＰＳ（Program Stream）、ＭＰＥＧ−２ＴＳ等のデジタルのストリームデータにエンコードする処理を行う。
【００４４】
デジタル信号処理部４３は、デジタルチューナ４１及びエンコーダ４２に接続されており、デジタルチューナ４１及びエンコーダ４２からストリームデータを受け付ける。デジタル信号処理部４３は、ストリームデータに対して所定のデジタル処理を行う。
【００４５】
デジタル信号処理部４３は、受け付けたストリームデータに係るコンテンツを視聴する場合、データ処理を施したストリームデータを後述するデコーダ４６に出力する。また、デジタル信号処理部４３は、受け付けたストリームデータに係るコンテンツを記録する場合、データ処理を施したストリームデータをディスクドライブ部２又はＨＤドライブ部３に出力する。
【００４６】
信号処理部４は、記録部４４、制御部（抽出手段、表示手段、決定手段、絵文字表示手段、判定手段、サムネイル表示手段、特定手段、インジケータ表示手段、変更手段）４５、デコーダ４６、画像処理部４７及び信号出力部４８を含む。
記録部４４は、不揮発性メモリ及び揮発性メモリから構成され、制御部４５が実行するプログラム、作業変数、一時的な情報及び恒常的な情報を記録する。記録部４４が記録する情報は、例えば番組の録画予約情報、録画装置１を操作するための操作画面に関する情報である。操作画面に関する情報は、画面レイアウト、表示されるボタン、スライダ等のコントロール（画面構成部品）に関する情報等である。また、記録部４４は、フレームバッファの機能も有している。
【００４７】
制御部４５は、ＣＰＵ、ＭＰＵ等のプロセッサであり、信号処理部４の各構成部を制御する。制御部４５は、操作画面を表示部５に表示する場合、記録部４４から操作画面に関する情報を読み出し、デコーダ４６を介して画像処理部４７に出力する。
【００４８】
デコーダ４６は、デジタル信号処理部４３、ディスクドライブ部２又はＨＤドライブ部３からストリームデータを受け付ける。デコーダ４６は、受け付けたストリームデータを映像信号及び音声信号にデコードし、デコードした映像信号及び音声信号を画像処理部４７に出力する。
【００４９】
画像処理部４７は、デコーダ４６から映像信号及び音声信号を受け付け、受け付けた映像信号に対して画素の補間又は色調整等の画像処理を実行する。画像処理部４７は、画像処理を施した映像信号及び音声信号を、信号出力部４８に出力する。また、画像処理部４７は、デコーダ４６からサムネイル用の動画像信号又は静止画像信号を受け付けた場合、サムネイルを一覧表示するための映像信号を生成し、表示部５に出力する。
画像処理部４７は、録画装置１を操作するための操作画面を表示部５に表示する場合、操作画面に関する情報を、デコーダ４６を介して制御部４５から受け付ける。画像処理部４７は、受け付けた操作画面に関する情報を用いて操作画面の映像信号を生成し、信号出力部４８に出力する。
【００５０】
信号出力部４８は、画像処理部４７から受け付けた映像信号及び音声信号を、差動伝送方式の一つであるＬＶＤＳ（low voltage differential signaling）方式により、表示部５に出力する。
【００５１】
信号処理部４は、第１インタフェース部４９、第２インタフェース部５０、タイマ５１及びタッチパネル制御部（検出手段、ドラッグ操作検出手段、接触操作検出手段）５２を含む。
第１インタフェース部４９は、ＳＡＴＡ規格又はＡＴＡ規格のインタフェースであり、ディスクドライブ部２と接続されている。
第２インタフェース部５０は、ＳＡＴＡ規格又はＡＴＡ規格のインタフェースであり、ＨＤドライブ部３と接続されている。
制御部４５は、第１インタフェース部４９又は第２インタフェース部５０を介して夫々ディスクドライブ部２又はＨＤドライブ部３との間でデータの交換をする。
【００５２】
タイマ５１は、日時を計時し、計時した日時を制御部４５及びタッチパネル制御部５２に出力する。
タッチパネル制御部５２は、タイマ５１から出力される日時に基づいて、一定時間間隔でタッチパネル６の状態を監視する。タッチパネル制御部５２は、タッチパネル６からの信号を受信する。タッチパネル制御部５２は、受信した信号に基づいてタッチパネル６に物体が接触しているか否か、接触している場合、その接触座標に関する情報を制御部４５に出力する。
【００５３】
デジタル信号処理部４３、記録部４４、制御部４５、デコーダ４６、第１インタフェース部４９、第２インタフェース部５０、タイマ５１及びタッチパネル制御部５２は、システムバス４ｂ上に接続されている。
【００５４】
表示部５は、信号出力部４８が出力した映像信号及び音声信号を受け付ける。表示部５は受け付けた映像信号の映像を画面に表示する。表示部５の画面は、例えば液晶パネル、有機ＥＬ（Electro Luminescence）パネル等の薄膜表示パネルである。表示部５は、図示しないスピーカを有していてもよく、かかる場合、受け付けた音声信号に基づいた音声をスピーカから出力する。
タッチパネル６は、表示部５の画面に積層された透明シート部材であり、指、スタイラス等による接触位置を検出し、タッチパネル制御部５２に検出した接触座標を示す信号を送信する。タッチパネル６による接触を検出する方式は、特定の方式に限られず、抵抗膜方式、静電容量方式 、表面弾性波方式等いずれの方式でもよい。
表示部５及びタッチパネル６のサイズは、例えば１０インチであり、ポータブルタイプの電子書籍端末のサイズと略同一である。
【００５５】
次に、録画装置１の動作について説明する。
ユーザは、表示部５に表示される各種のコントロールを、表示部５に重畳されたタッチパネル６を介して操作することにより録画装置１を操作する。例えば、表示部５に再生開始、再生停止、再生一時停止等のボタンが表示され、ユーザがいずれかのボタンをタップした場合、各ボタンに対応する指令が録画装置１に入力される。タップは、指でタッチパネル６を軽くたたく操作である。
【００５６】
制御部４５は、タッチパネル制御部５２からの情報及びタイマ５１から出力される日時に基づいて、タッチパネル６に対するユーザの指の状態を監視する。ユーザの指の状態とは、例えば指がタッチパネル６に触れていない状態、指がタッチパネル６に１点で触れた状態、２本の指がタッチパネル６に２点で触れた状態、指がタッチパネル６に完全に接触した状態で移動する状態等である。
上述では、ユーザの指を例に挙げたが、タッチパネル６に接触する物体は、スタイラス等の器具でもよいことは勿論である。
【００５７】
制御部４５は、ユーザの指を監視することにより、タッチパネル６に対する様々なタッチ操作（接触操作）を識別する。制御部４５が識別するタッチ操作は、例えばタップであり、タップを２回連続するダブルタップである。制御部４５が識別する他のタッチ操作は、タッチパネル６を指でなぞるドラッグ及びタッチパネル６を指で軽くはらうフリックを含む。また、制御部４５が識別する他のタッチ操作は、タッチパネル６に触れた２本の指の間の距離を短くするピンチイン（ピンチクローズ）及びタッチパネル６に触れた２本の指の間の距離を長くするピンチアウト（ピンチオープン）を含む。
なお、上記のタッチ操作の識別は、タッチパネル制御部５２が行い、その識別結果をタッチパネル制御部５２が制御部４５に出力してもよい。
【００５８】
制御部４５は、表示部５に表示する操作画面に配置された各種コントロールの位置を、画面上の座標として記録部４４に記録している。制御部４５は、タッチパネル制御部５２からタッチパネル６に対する指の接触座標を受け付け、ユーザがどのコントロールに対してどのようなタッチ操作を行ったか判定する。コントロールに対するタッチ操作と録画装置１の操作との間には、予め対応関係が定められており、制御部４５は判定したタッチ操作に対応する処理を実行する。
【００５９】
以下では、ハードディスク３１に録画されたテレビ放送番組のＣＭを消去する場合の録画装置１の動作について説明する。図示しない操作トップ画面の所定のボタンがタップされた場合、制御部４５はハードディスク３１に記録された動画像ファイルのリストを表示する。
【００６０】
図２は、録画リスト画面の一例を示す説明図である。録画リスト画面は、録画に係る動画像ファイルのリストを表示する画面である。録画リスト画面には、録画した番組のサムネイル画像がリスト表示される。右向きの矢印ボタンをタップした場合、表示されていない次の動画像ファイルのリストが表示される。左向きの矢印ボタンをタップした場合、前の動画像ファイルを表示する録画リスト画面に戻ることができる。編集したい録画番組のサムネイル画像をタップした場合、そのサムネイル画像に対応する動画像ファイルが選択される。図２では番組１が選択された状態を示している。
【００６１】
次に、録画リスト画面の編集ボタンをタップした場合、図示しない編集リスト画面が表示される。編集リスト画面には、シーン（部分）消去、インデックス画面変更、チャプター（章）分割及びチャプター（章）結合等の各種ボタンが表示される。シーン（部分）消去のボタンをタップした場合、シーン消去画面が表示される。以下では、録画リスト画面において、番組１が編集対象のタイトルとして選択されたものとする。
なお、インデックス画面変更は、録画リスト画面に表示されるサムネイル画像を、タイトルの内容がわかりやすいように変更する機能である。タイトルは、録画した番組のことである。
【００６２】
図３は、シーン消去画面１Ｆの一例を示す説明図である。シーン消去画面１Ｆは、子画面１０Ｆ及びスライダ（時間の長さを示す画面構成部品）１ｃを含む。子画面１０Ｆには、録画リスト画面で選択した番組１の再生画像が表示される。シーン消去画面１Ｆの初期表示時には、番組１の先頭から再生が開始される。
【００６３】
子画面１０Ｆの右には、上から下へ向かって、タイトルラベル、録画日時ラベル、再生地点時間ラベル、消去開始地点ラベル及び消去終了地点ラベルが表示される。タイトルラベルの下には、録画リスト画面で選択したタイトルの名称が表示される。録画日時ラベルの下には、録画リスト画面で選択したタイトルの録画日時が表示される。再生地点時間ラベルの下には、子画面１０Ｆに表示されている番組１の先頭から再生中の動画像までの再生時間が表示される。消去開始地点ラベル及び消去終了地点ラベルの下には、夫々対象タイトルの編集開始位置及び編集終了位置に対応する再生時間が表示される。シーン消去画面１Ｆの初期表示時には、消去開始地点ラベル及び消去終了地点ラベルの下の欄はどちらも空欄になっている。
【００６４】
シーン消去画面１Ｆの下部には、スライダ１ｃが表示される。スライダ１ｃの横方向の長さは、番組１の録画時間の長さを示している。スライダ１ｃの直上の左端と右端には、夫々番組１の再生開始時間と再生終了時間とが表示される。
【００６５】
シーン消去画面１Ｆは、つまみ（インジケータ）１０ｃを含む。つまみ１０ｃは、スライダ１ｃの位置に重ねて表示される。つまみ１０ｃは、子画面１０Ｆに表示される番組１の再生位置をスライダ１ｃの横方向における位置として示すインジケータである。番組１の再生に伴い、スライダ１ｃ上のつまみ１０ｃの位置は、左から右へ移動する。つまみ１０ｃが左右方向にドラッグされた場合、子画面１０Ｆに表示される再生画像は、ドラッグされたつまみ１０ｃのスライダ１ｃ上における位置と対応する再生位置の再生画像に変化する。ユーザは、つまみ１０ｃをドラッグし、子画面１０Ｆに表示される再生画像を視認することにより、大まかに編集位置を決定する。
【００６６】
ユーザがつまみ１０ｃを上下方向にドラッグした場合、録画装置１は子画面１０Ｆの動画像の再生を一時停止する。ユーザが子画面１０Ｆとスライダ１ｃとの間に表示された三角ボタン２ｃをタップした場合、録画装置１は、子画面１０Ｆの動画像の再生を再開する。
なお、動画像の再生を一時停止するタッチ操作はドラッグに限らず、タップ、ダブルタップ、フリック等でもよい。
【００６７】
ユーザがつまみ１０ｃ部分付近を左右にピンチアウトした場合、つまみ１０ｃはスライダ１ｃの中央に移動する。また、ユーザがつまみ１０ｃ部分付近を左右にピンチアウトした場合、スライダ１ｃが示す時間の長さは番組１の録画時間から所定の時間の長さに短くなる。ここでの所定の時間の長さは、例えば録画時間の所定割合の長さでもよいし、予め定めた時間の長さでもよい。所定の時間の長さが例えば２０分である場合、スライダ１ｃの左端と右端との上に示される再生時間は、ピンチアウトされたつまみ１０ｃが示す再生位置の１０分前と１０分後の時間が表示される。例えば、先頭から３５分経過した再生位置を示すつまみ１０ｃをピンチアウトした場合、スライダ１ｃの左端と右端との上に００：２５：００と００：４５：００が表示される。すなわち、つまみ１０ｃのピンチアウト操作は、編集対象であるタイトルの再生部分を時間軸方向に拡大する。そのため、つまみ１０ｃをピンチアウトする前と後とでは、つまみ１０ｃを左右にドラッグする距離が同じであっても、子画面１０Ｆに表示される移動後の再生位置は異なる。例えば仮に、つまみ１０ｃを左右にピンチアウトする前に、つまみ１０ｃを所定距離左右にドラッグした場合、再生位置が１０分移動したとする。つまみ１０ｃをピンチアウトした後は、同じ距離のドラッグ操作をしても、再生位置は１分移動するだけになることがある。これにより、ユーザは編集位置をより細かく探すことができる。
【００６８】
ユーザがつまみ１０ｃを左右にピンチインした場合、スライダ１ｃが示す時間の長さは番組１の録画時間に戻る。
つまみ１０ｃを左右にピンチアウトし、さらにもう１度左右にピンチアウトした場合、スライダ１ｃが示す時間の長さはさらに所定の時間の長さまで短くなる。ここでは、つまみ１０ｃを２回ピンチアウトした場合、スライダ１ｃが示す時間の長さは例えば１０分になるとする。
【００６９】
図４は、シーン消去画面１Ｆの一例を示す説明図である。図４は、再生位置が３５分である場合に対応するつまみ１０ｃを２回左右方向にピンチアウトしたときのシーン消去画面１Ｆを示している。スライダ１ｃの左端の上には、３５分より５分前の００：３０：００が表示されている。スライダ１ｃの右端の上には、３５分から５分後の００：４０：００が表示されている。子画面１０Ｆには、動画像の先頭からカウントして３０分から４０分までの再生部分を１分単位で分割したサムネイル画像１ｔが１０枚表示されている。これらのサムネイル画像１ｔは動画像でもよいし、静止画像でもよい。サムネイル画像１ｔが静止画像である場合、１分単位で分割されたタイトルの各先頭部分の画像が表示される。また、サムネイル画像１ｔには再生位置を示す時間が重畳されて示される。
【００７０】
図５及び図６は、シーン消去画面１Ｆにサムネイル画像１ｔを表示するまでの処理の手順を示すフローチャートである。
制御部４５は、録画リスト画面を表示する（ステップＳ１０１）。制御部４５は、録画タイトルが選択された状態で、録画リスト画面の編集ボタンがタップされたか否か判定する（ステップＳ１０２）。制御部４５は、録画タイトルが選択された状態で、録画リスト画面の編集ボタンがタップされていないと判定した場合（ステップＳ１０２：ＮＯ）、ステップＳ１０２に処理を戻す。制御部４５は、録画タイトルが選択された状態で、録画リスト画面の編集ボタンがタップされたと判定した場合（ステップＳ１０２：ＹＥＳ）、編集リスト画面を表示する（ステップＳ１０３）。
【００７１】
制御部４５は、編集リスト画面のシーン（部分）消去ボタンがタップされたか否か判定する（ステップＳ１０４）。制御部４５は、編集リスト画面のシーン（部分）消去ボタンがタップされていないと判定した場合（ステップＳ１０４：ＮＯ）、ステップＳ１０４に処理を戻す。制御部４５は、編集リスト画面のシーン（部分）消去ボタンがタップされたと判定した場合（ステップＳ１０４：ＹＥＳ）、シーン消去画面１Ｆを表示する（ステップＳ１０５）。シーン消去画面１Ｆの初期表示時には、制御部４５は子画面１０Ｆに選択された録画タイトルの再生動画像を表示する。
【００７２】
制御部４５は、スライダ１ｃのつまみ１０ｃが上下にドラッグされたか否か判定する（ステップＳ１０６）。制御部４５は、スライダ１ｃのつまみ１０ｃが上下にドラッグされていないと判定した場合（ステップＳ１０６：ＮＯ）、ステップＳ１０６に処理を戻す。制御部４５は、スライダ１ｃのつまみ１０ｃが上下にドラッグされたと判定した場合（ステップＳ１０６：ＹＥＳ）、子画面１０Ｆにおける動画像の再生を一時停止する（ステップＳ１０７）。
【００７３】
制御部４５は、三角ボタン２ｃがタップされたか否か判定する（ステップＳ１０８）。制御部４５は、三角ボタン２ｃがタップされたと判定した場合（ステップＳ１０８：ＹＥＳ）、子画面１０Ｆにおける動画像の再生を再開し（ステップＳ１０９）、ステップＳ１０６に処理を戻す。制御部４５は、三角ボタン２ｃがタップされていないと判定した場合（ステップＳ１０８：ＮＯ）、スライダ１ｃのつまみ１０ｃが左右にピンチアウトされたか否か判定する（ステップＳ１１０）。
【００７４】
制御部４５は、スライダ１ｃのつまみ１０ｃが左右にピンチアウトされていないと判定した場合（ステップＳ１１０：ＮＯ）、ステップＳ１１０に処理を戻す。制御部４５は、スライダ１ｃのつまみ１０ｃが左右にピンチアウトされたと判定した場合（ステップＳ１１０：ＹＥＳ）、スライダ１ｃが示す時間の長さを所定の長さに短くし、スライダ１ｃを更新する（ステップＳ１１１）。
【００７５】
制御部４５は、スライダ１ｃのつまみ１０ｃが左右にピンチインされたか否か判定する（ステップＳ１１２）。制御部４５は、スライダ１ｃのつまみ１０ｃが左右にピンチインされたと判定した場合（ステップＳ１１２：ＹＥＳ）、スライダ１ｃを元の状態に戻し（ステップＳ１１３）、ステップＳ１１０に処理を戻す。制御部４５は、スライダ１ｃのつまみ１０ｃが左右にピンチインされていないと判定した場合（ステップＳ１１２：ＮＯ）、スライダ１ｃのつまみ１０ｃが左右にピンチアウトされたか否か判定する（ステップＳ１１４）。
【００７６】
制御部４５は、スライダ１ｃのつまみ１０ｃが左右にピンチアウトされていないと判定した場合（ステップＳ１１４：ＮＯ）、ステップＳ１１４に処理を戻す。制御部４５は、スライダ１ｃのつまみ１０ｃが左右にピンチアウトされたと判定した場合（ステップＳ１１４：ＹＥＳ）、スライダ１ｃが示す時間の長さを１０分に設定し、スライダ１ｃを更新する（ステップＳ１１５）。制御部４５は、子画面１０Ｆに一時停止された再生位置前後のサムネイル画像１ｔを１０枚表示し（ステップＳ１１６）、処理を終了する。
【００７７】
図４に戻り、説明を続ける。
子画面１０Ｆの左右端の下には、夫々左向きの矢印ボタンと右向きの矢印ボタンとが表示される。これらの矢印ボタンをタップした場合、子画面１０Ｆに表示されるサムネイル画像１ｔが５枚単位で変化する。例えば、左向きの矢印ボタンをタップした場合、番組１の先頭からカウントして２５分から３５分までの再生部分が１分単位で分割されたサムネイル画像１ｔに切り替わる。右向きの矢印ボタンをタップした場合、番組１の先頭からカウントして３５分から４５分までの再生部分が１分単位で分割されたサムネイル画像１ｔに切り替わる。
【００７８】
スライダ１ｃ上のつまみ１０ｃを左右にドラッグすることでも、サムネイル画像１ｔの切り替えは可能である。スライダ１ｃの横方向の長さは１０分に対応し、スライダ１ｃの横方向の長さの１０分の１だけ、つまみ１０ｃをドラッグした場合、子画面１０Ｆに表示されるサムネイル画像１ｔを１枚単位で送ることができる。つまみ１０ｃを左にドラッグした場合は再生位置が戻る方向に、つまみ１０ｃを右にドラッグした場合は再生位置が進む方向に、子画面１０Ｆに表示されるサムネイル画像１ｔが入れ替わる。
【００７９】
番組１に挿入されているＣＭの平均的な長さから判断して、子画面１０Ｆに表示するサムネイル画像１ｔの間隔を１分にすることにより、番組１からＣＭを探すことは容易である。なお、子画面１０Ｆに表示されるサムネイル画像１ｔを抽出する時間間隔は１分に限らない。１分より短くてもよいし、長くてもよい。また、サムネイル画像１ｔを抽出する時間間隔をユーザが設定できるようにしてもよい。
【００８０】
図４のつまみ１０ｃを左右にピンチインした場合、図４のシーン消去画面１Ｆから図３のシーン消去画面１Ｆに戻ることができる。ユーザは、図４のサムネイル画像１ｔの中にＣＭ画像が含まれていないと判断した場合、図３のシーン消去画面１Ｆに戻り、上述の操作を繰り返す。
図４のシーン消去画面１Ｆにおいて、ＣＭ画像と判断されるサムネイル画像１ｔをタップした場合、スライダ１ｃが示す時間の長さはさらに短くなる。ここでは、スライダ１ｃが示す時間の長さは例えば１０分から２分に変更されるものとする。また、ＣＭ画像と判断されるサムネイル画像１ｔをタップした場合、当該サムネイル画像１ｔの再生位置に対応するフレーム画像が子画面１０Ｆに複数表示される。なお、１秒間のフィールド数は６０であり、２フィールドで１フレームを構成する。以下では、フィールドをフレームと同じ意味に使用し、１秒間のフレーム数は６０であるものとする。
【００８１】
図７は、シーン消去画面１Ｆの一例を示す説明図である。図７は、図４のサムネイル画像１ｔがタップされた場合に表示されるシーン消去画面１Ｆである。例えば、再生位置が３７分から３８分までに対応するサムネイル画像１ｔ（００：３７：００と表示されているサムネイル画像１ｔ）がタップされたとする。かかる場合、３７分３０秒より前の１分と後の１分とを合わせた２分がスライダ１ｃの長さに対応する。スライダ１ｃの左右端の上には、夫々００：３６：３０と００：３８：３０とが表示されている。
なお、図７のスライダ１ｃの横方向の長さに対応する時間の長さは、ユーザが変更できるようにしてもよい。
【００８２】
子画面１０Ｆの中央には、３７分３０秒の再生位置に対応する再生位置のフレーム画像１が大きく表示されている。中央のフレーム画像１ｆの左には、当該フレーム画像１ｆよりも再生位置が５フレーム前までのフレーム画像１ｆが左に向かって徐々に小さなサイズに変化する態様で表示されている。また、５フレーム前までのフレーム画像１ｆは、左に向かって徐々に横幅が狭くなる態様で表示されている。
中央のフレーム画像１ｆの右には、当該フレーム画像１ｆよりも再生位置が５フレーム後までのフレーム画像１ｆが右に向かって徐々に小さなサイズに変化する態様で表示されている。また、５フレーム後までのフレーム画像１ｆは、右に向かって徐々に横幅が狭くなる態様で表示されている。
つまり、左から右へ向かって時間の進行順にフレーム画像１ｆが配列している。この横方向のフレーム画像１ｆの列は、斜め上方からメリーゴーランドの回転ステージを眺めたかのように、弧を描いて表示されている。
【００８３】
ユーザは、図７のシーン消去画面１Ｆで、ＣＭ消去のための消去開始地点と消去終了地点とを指定する。
ユーザは、子画面１０Ｆに表示された複数のフレーム画像１ｆの間にＣＭの始まり又は終わりに対応する地点を見つけた場合、当該各地点を、本編及びＣＭの始まりの境、並びにＣＭの終わり及び本編の境に夫々対応する消去開始地点、消去終了地点に指定する。そのための操作は、直観的なタッチ操作である。
【００８４】
子画面１０ｆの右下角部には、はさみを模したはさみアイコン（絵文字）１ｉが表示されている。はさみアイコン１ｉをタップしてから、消去開始地点又は消去終了地点に対応するフレーム画像１ｆの間の領域をドラッグ、フリック又はピンチインする。ちょうど、映画フィルムの編集作業でフィルムをカットする感覚で、フレーム画像１ｆの間の領域に対してタッチ操作をする。例えば、ピンチインは２本の指の距離を縮めるジェスチャであるため、映画フィルムをはさみでカットするジェスチャに似ている。これにより、シーン消去画面１Ｆ右側の消去開始地点ラベル又は消去終了地点ラベルの下に夫々タッチ操作に基づいた消去開始地点、消去終了地点に対応する再生時間が表示される。また、消去開始地点又は消去終了地点に対応するフレームを特定する情報が記録部４４に記録される。
ここで記録部４４に記録される情報は、はさみを入れるジェスチャが行われた両隣の２枚のフレーム画像１ｆに対応するフレームを特定する情報である。
【００８５】
あるいは、消去開始地点又は消去終了地点に対応するフレームを特定する情報は１枚のフレーム画像１ｆに対応するフレームを特定する情報であってもよい。かかる場合、その１枚のフレームの前か後のいずれかを消去開始地点又は消去終了地点とすることを予め決めておく。１枚のフレーム画像１ｆに対応するフレームを特定する場合、消去開始地点又は消去終了地点を指定するジェスチャは、はさみを入れるジェスチャでなくてもよい。例えば、はさみアイコン１ｉの代わりに本のしおりを模したしおりアイコンをシーン消去画面１Ｆに表示する。ユーザはしおりアイコンをタップしてから、消去開始地点又は消去終了地点に指定するフレーム画像１ｆをタップ又はダブルタップする。かかる場合、タップ又はダブルタップされたフレーム画像１ｆに対応するフレームの前か後のいずれかが消去開始地点又は消去終了地点に指定される。
【００８６】
なお、はさみアイコン１ｉ又はしおりアイコンをタップするタイミングと、編集位置に対応するタッチパネル６上でのタッチ操作のタイミングとが略同一である場合に、消去開始地点又は消去終了地点を指定してもよい。あるいは、はさみアイコン１ｉ又はしおりアイコンに指が接触した状態で、編集位置に対応するタッチパネル６上で別の指によりタッチ操作が行われた場合に、消去開始地点又は消去終了地点を指定してもよい。
【００８７】
はさみを入れるジェスチャにより、消去開始地点又は消去終了地点が指定された場合、はさみが入れられた位置を境に、フレーム画像１ｆの配列が離れていくアニメーションの演出効果が施されてもよい。この演出効果は、音響効果を伴なってもよい。
【００８８】
消去開始地点ラベルの下の再指定ボタン３ｃをタップした場合、消去開始地点に対応する再生時間が消え、消去開始地点の指定をやり直すことができる。同様に、消去終了地点ラベルの下の再指定ボタン４ｃをタップした場合、消去終了地点に対応する再生時間が消え、消去開始地点の指定をやり直すことができる。
【００８９】
子画面１０Ｆに本編とＣＭとの境界を示す所望のフレーム画像１ｆが表示されていない場合、動画像の他の再生位置に対応するフレーム画像１ｆを子画面１０Ｆに表示させて所望の消去開始地点又は消去終了地点を探すことになる。その場合も、直観的なタッチ操作により動画像の再生位置を移動するかのような感覚で所望の消去開始地点又は消去終了地点を探すことができる。
【００９０】
子画面１０Ｆの中央のフレーム画像１ｆを横方向にドラッグ又はフリックした場合、横列のフレーム画像１ｆが１枚ずつドラッグ又はフリックした方向に移動する。例えば、中央のフレーム画像１ｆを左へドラッグ又はフリックした場合、横列のフレーム画像１ｆは左へ移動する。フレーム画像１ｆの移動量はドラッグ又はフリックされた量に比例し、左側のフレーム画像１ｆは子画面１０Ｆの外へ出て消える。他方、子画面１０Ｆの右領域には、より先の再生位置に対応するフレーム画像１ｆが現れる。
中央のフレーム画像１ｆを右へドラッグ又はフリックした場合、横列のフレーム画像１ｆは右へ移動し、右側のフレーム画像１ｆは子画面１０ｆの外に出て消える。他方、子画面１０Ｆの左領域には、より前の再生位置に対応するフレーム画像１ｆが現れる。
また、ドラッグ又はフリックする速度に比例してフレーム画像１ｆの移動速度は変化する。
【００９１】
子画面１０Ｆの中央のフレーム画像１ｆをドラッグ又はフリックするジェスチャは、本のページをめくるジェスチャに類似し、ユーザにとって直観的である。フレーム画像１ｆが移動する場合、あたかも横列のフレーム画像１ｆ群はメリーゴーランドが回転するかのごとく見え、見た目の楽しさが実感される。
【００９２】
ドラッグ又はフリックする対象のフレーム画像１ｆは、子画面１０Ｆの中央のフレーム画像１ｆに限らない。横列のいずれかのフレーム画像１ｆを横方向にドラッグ又はフリックした場合、子画面１０Ｆの中央のフレーム画面１ｆを横方向にドラッグした場合と同様にフレーム画像１ｆ群が移動する。
なお、フレーム画像１ｆがドラッグされた場合、ドラッグ速度に合わせて各フレーム画像１ｆを移動させ、フレーム画像１ｆがフリックされた場合、各フレーム画像１ｆは勢いが付いて流れるように移動するようにしてもよい。フリックされたフレーム画像１ｆは、次第に移動速度が遅くなり、やがて停止する演出が施されてよい。また、フリックされ、移動しているフレーム画像１ｆ群に指が触れた場合、フレーム画像１ｆ群の移動を停止させてもよい。
【００９３】
上述のフレーム画像１ｆの移動は、つまみ１０ｃを左右にドラッグすることでも可能である。つまみ１０ｃを右にドラッグした場合、子画面１０Ｆのフレーム画像１ｆ群はより先の再生位置に対応するフレーム画像１ｆ群と入れ替わるように移動する。また、つまみ１０ｃを左にドラッグした場合、子画面１０Ｆのフレーム画像１ｆ群はより前の再生位置に対応するフレーム画像１ｆ群と入れ替わるように移動する。また、つまみ１０ｃをドラッグ速度に比例して、フレーム画像１ｆ群が入れ替わる速度は変化する。
【００９４】
図７のつまみ１０ｃを左右にピンチインした場合、図７のシーン消去画面１Ｆから図４のシーン消去画面１Ｆに戻ることができる。ユーザは、図７のフレーム画像１ｆ群の中に所望のＣＭ画像が含まれていないと判断した場合、図７のシーン消去画面１Ｆに戻り、上述の操作を繰り返す。
【００９５】
ユーザは、図７のシーン消去画面１Ｆまで遷移し、はさみを入れるジェスチャにより消去開始地点を指定する。次に、ユーザは、消去終了地点を指定する。
なお、消去開始地点と消去終了地点との指定は、どちらが先でもよく、指定順序は限られない。
【００９６】
ＣＭに関する消去開始地点又は消去終了地点が指定された場合、ＣＭの始まりのフレーム画像１ｆ又はＣＭの終了のフレーム画像１ｆに夫々開始点又は終了点を示すチャプターマークを付加してもよい。チャプターマークとは、映像の区切りのことであり、再生時の頭出しをするとき、編集するとき等に利用される。ＣＭの消去に関するチャプターマークの場合、再生、ダビング等の場合に、ＣＭ部分がスキップされて再生、ダビング等が行われる。
【００９７】
消去開始地点及び消去終了地点の両者が指定された場合、指定された消去開始地点から消去終了地点までのフレーム画像１ｆの色を薄くしてもよい。これにより、ユーザは動画像のどの部分が消去対象になっているか、視覚により容易に認識することができる。
【００９８】
図８は、シーン消去画面１Ｆの一例を示す説明図である。図７の確認ボタン５ｃをタップした場合、消去開始地点及び消去終了地点の前後の動画像が図８のシーン消去画面１Ｆの子画面１０Ｆに表示される。これにより、ユーザは事前に編集結果を確認することができる。図８の「しない」ボタン６ｃをタップした場合、図７のシーン消去画面１Ｆに戻り、消去開始地点又は消去終了地点を指定し直すことができる。図８の「する」ボタン６ｃをタップした場合、指定された範囲の動画像が消去される。
【００９９】
指定された範囲の動画像が消去される場合、様々なアニメーションによる演出効果が施されてよい。例えば、図８の子画面１０Ｆにおいて、消去開始地点から消去終了地点までのフレーム画像１ｆが１枚ずつ後方に飛び去る動画像が表示される。
あるいは、編集対象のタイトルのフレーム画像１ｆ群を映画フィルムのような配列にして表示させ、消去開始地点及び消去終了地点の位置において、はさみの絵柄が当該配列をカットするアニメーションを表示する。その後、カットされた消去開始地点から消去終了地点までの配列は後方に飛び去り、残った２本の配列が結合するアニメーションを表示する。かかる演出効果は、音響効果を伴ってもよい。
【０１００】
図９、図１０及び図１１は、図４のサムネイル画像１ｔ選択から消去実行までの処理の手順を示すフローチャートである。
制御部４５は、サムネイル画像１ｔがタップされたか否か判定する（ステップＳ２０１）。制御部４５は、サムネイル画像１ｔがタップされていないと判定した場合（ステップＳ２０１：ＮＯ）、ステップＳ２０１に処理を戻す。制御部４５は、サムネイル画像１ｔがタップされたと判定した場合（ステップＳ２０１：ＹＥＳ）、タップされたサムネイル画像１ｔを特定する情報を取得する（ステップＳ２０２）。サムネイル画像１ｔを特定する情報は、対応する再生位置の再生時間、対応するフレームを特定する情報等である。制御部４５は、スライダ１ｃが示す時間の長さを２分に設定し、スライダ１ｃを更新する（ステップＳ２０３）。
【０１０１】
制御部４５は、ステップＳ２０２で取得した情報のサムネイル画像１ｔに対応する前後各２分間のフレームを１／６０秒間隔で動画像ファイルから抽出する（ステップＳ２０４）。制御部４５は、ステップＳ２０４で抽出したフレームを記録部４４に記録する（ステップＳ２０５）。制御部４５は、フレーム画像１ｆ群を横列に配列し、子画面１０Ｆに表示する（ステップＳ２０６）。
【０１０２】
制御部４５は、フレーム画像１ｆがドラッグ又はフリックされたか否か判定する（ステップＳ２０７）。制御部４５は、フレーム画像１ｆがドラッグ又はフリックされていないと判定した場合（ステップＳ２０７：ＮＯ）、ステップＳ２０７に処理を戻す。制御部４５は、フレーム画像１ｆがドラッグ又はフリックされたと判定した場合（ステップＳ２０７：ＹＥＳ）、ドラッグ又はフリックされたフレーム画像１ｆを特定する情報を取得する（ステップＳ２０８）。制御部４５は、ドラッグ又はフリックされた方向と速度とを取得する（ステップＳ２０９）。
【０１０３】
制御部４５は、ドラッグ又はフリックされた方向が横方向である場合、ドラッグ又はフリックされた速度に対して、縦列のフレーム画像１ｆを移動させて表示するためにステップＳ２０５で記録したフレーム数で十分か否か判定する（ステップＳ２１０）。制御部４５は、フレーム数が十分と判定した場合（ステップＳ２１０：ＹＥＳ）、ステップＳ２１３に処理を進める。制御部４５はフレーム数が十分でないと判定した場合（ステップＳ２１０：ＮＯ）、ドラッグ又はフリックされた方向及び速度に応じて、フレームを１／６０秒間隔で動画像ファイルから抽出する（ステップＳ２１１）。制御部４５は、ステップ２１１で抽出したフレームを記録部４４に記録する（ステップＳ２１２）。制御部４５は、記録部４４に記録した１／６０秒間隔で抽出したフレームを用いて、子画面１０Ｆにフレーム画像１ｆの移動を表示する（ステップＳ２１３）。
【０１０４】
制御部４５は、はさみアイコン１ｉが選択されているか否か判定する（ステップＳ２１４）。制御部４５は、はさみアイコン１ｉが選択されていないと判定した場合（ステップＳ２１４：ＮＯ）、ステップＳ２１４に処理を戻す。制御部４５は、はさみアイコン１ｉが選択されていると判定した場合（ステップＳ２１４：ＹＥＳ）、消去開始地点又は消去終了地点を指定するジェスチャを検出したか否か判定する（ステップＳ２１５）。制御部４５は、消去開始地点又は消去終了地点を指定するジェスチャを検出していないと判定した場合（ステップＳ２１５：ＮＯ）、ステップＳ２１５に処理を戻す。制御部４５は、消去開始地点又は消去終了地点を指定するジェスチャを検出したと判定した場合（ステップＳ２１５：ＹＥＳ）、消去開始地点又は消去終了地点を記録部４４に記録する（ステップＳ２１６）。
【０１０５】
制御部４５は、消去開始地点及び消去終了地点を記録部４４に記録したか否か判定する（ステップＳ２１７）。制御部４５は、消去開始地点及び消去終了地点を記録部４４に記録していないと判定した場合（ステップＳ２１７：ＮＯ）、ステップＳ２０７に処理を戻す。制御部４５は、消去開始地点及び消去終了地点を記録部４４に記録したと判定した場合（ステップＳ２１７：ＹＥＳ）、シーン（部分）消去を実行するための「する」ボタン７ｃがタップされたか否か判定する（ステップＳ２１８）。制御部４５は、「する」ボタン７ｃがタップされていないと判定した場合（ステップＳ２１８：ＮＯ）、ステップＳ２１８に処理を戻す。制御部４５は、「する」ボタン７ｃがタップされたと判定した場合（ステップＳ２１８：ＹＥＳ）、指定された範囲の動画像を動画像ファイルから消去する処理を実行し（ステップＳ２１９）、処理を終了する。
なお、ステップＳ２１９の処理は、指定された範囲の動画像を消去するのではなく、指定範囲を示す情報が動画像ファイル又は記録部４４に記録されてもよい。制御部４５は、編集後の動画像ファイルを再生又はダビングする場合、当該情報に基づいて指定範囲をスキップして、再生又はダビングする。
【０１０６】
録画装置１によれば、映画フィルムを編集する感覚で、直観的なタッチ操作により動画像ファイルの編集位置をフレーム単位で決定することができる。
録画装置１は、フレーム画像１ｆに対するドラッグ操作又はフリック操作を検出することにより、フレーム画像１ｆを１枚ずつ移動して子画面１０Ｆに表示する。これにより、ユーザは、動画像ファイルにおける所望の編集位置に対応するフレーム画像１ｆを子画面１０Ｆに表示させることができる。
【０１０７】
録画装置１によれば、シーン消去画面１Ｆはタッチパネル６に対するタッチ操作により、図３、図４、図７の間を遷移する。子画面１０Ｆに表示される図３の動画像、図４のサムネイル画像１ｔ及び図７のフレーム画像１ｆの順に、編集対象部分を時間軸方向に拡大することにより、録画装置１はフレーム画像１ｆ単位の編集位置へスムーズに移動することを可能にする。また、直観的なタッチ操作により、適宜図７のシーン消去画面１Ｆから図４のシーン消去画面１Ｆへ、また図４のシーン消去画面１Ｆから図３のシーン消去画面１Ｆへ戻ることができる。録画装置１は、複数の時間レベル階層に渡って編集位置を横断的に探すことを可能にする。
【０１０８】
実施の形態１は、編集作業の一例としてＣＭを対象とするシーン（部分）消去を扱った。しかし、録画装置１による編集作業は、シーン（部分）消去に限らず、インデックス設定、インデックス変更、チャプター（章）分割、チャプター（章）結合等が含まれる。
【０１０９】
表示部５には、操作画面の他に、デジタルチューナ４１及びエンコーダ４２が受け付けた動画像が表示される。従って、図１に示した録画装置１の内部構成の一例は、テレビ受像装置の内部構成の一例ともいえる。すなわち、録画装置１は、録画機能を備えたテレビ受像装置でもある。
【０１１０】
実施の形態２
実施の形態２は、シーン消去画面１Ｆの子画面１０Ｆに図４のサムネイル画像１ｔと図７のフレーム画像１ｆとを同時に表示する形態に関する。
図１２は、シーン消去画面１Ｆの一例を示す説明図である。図１２のシーン消去画面１Ｆは、図３のシーン消去画面１Ｆのつまみ１０ｃを２回ピンチアウトした場合に表示される。図１２のシーン消去画面のつまみ１０ｃをピンチインした場合、図３のシーン消去画面に戻ることができる。
図１２のシーン消去画面１Ｆにおける各コントロールの動作は、子画面１０Ｆを除き、図７のシーン消去画面１Ｆと同じである。
【０１１１】
図１２の子画面１０Ｆの中央には、３７分３０秒の再生位置に対応するフレーム画像１ｆが大きく表示されている。この中央のフレーム画像１ｆは、図３のシーン消去画面１Ｆにおいて大まかに決定された編集位置のフレームに対応する。すなわち、図１２の子画面１０Ｆの中央に表示されるフレーム画像１ｆは、図３の子画面１０Ｆに表示されていたシーンのフレームに対応する。
【０１１２】
図１２の中央のフレーム画像１ｆの上部には、当該フレーム画像１ｆより再生位置が３フレーム前までのフレーム画像１ｆが上部に向かって徐々に小さなサイズに変化する態様で表示されている。中央のフレーム画像１ｆの下部には、当該フレーム画像１ｆより再生位置が３フレーム先までのフレーム画像１ｆが下部へ向かって徐々に小さなサイズに変化する態様で表示されている。つまり、上部から下部へ向かって時間の進行順にフレーム画像１ｆが配列している。縦列のフレーム画像１ｆは、１／６０秒間隔で番組１の動画像ファイルから抽出されたフレーム画像１ｆである。縦列のフレーム画像１ｆは、観覧車の回転面の面内方向から観覧車のゴンドラを眺めたかのように表示されている。そのため、子画面１０Ｆに表示されていないフレーム画像１ｆは、後方に隠れて見えない演出が施されている。
【０１１３】
子画面１０Ｆの横方向には、中央のフレーム画像１ｆに対応する再生位置の前後から６０秒間隔で番組１の動画像ファイルから抽出されたサムネイル画像１ｔが左から右へ向かって時間の進行順に配列している。中央のフレーム画像１ｆの左には当該フレーム画像１ｆより前のサムネイル画像１ｔが５枚左に向かって徐々に小さなサイズに変化する態様で表示されている。中央のフレーム画像１ｆの右には当該フレーム画像１ｆより先のサムネイル画像１ｔが５枚右へ向かって徐々に小さなサイズに変化する態様で表示されている。横列のサムネイル画像１ｔは、斜め上方からメリーゴーランドの回転ステージを眺めたかのように、弧を描いて表示されている。
【０１１４】
子画面１０Ｆには、縦列のフレーム画像１ｆ群と横列のサムネイル画像１ｔ群とが子画面１０Ｆの中央で交差して表示される。
縦列のフレーム画像１ｆは、番組１の動画像ファイルから１／６０秒間隔で抽出されている。一方、横列のサムネイル画像１ｔは、番組１の動画像ファイルから６０秒間隔で抽出されている。横列のサムネイル画像１ｔの抽出時間間隔は、図４のシーン消去画面１Ｆの子画面１０Ｆに表示されたサムネイル画像１ｔの抽出時間間隔と同じである。つまり、横列のサムネイル画像１ｔは、図３のシーン消去画面１Ｆで大まかに決定された編集位置の前後１０分間を１分ずつのチャプタに分割し、各チャプタの先頭のフレーム画像をサムネイルにしたものである。
なお、サムネイル画像１ｔは動画像であってもよい。
【０１１５】
短い時間間隔で抽出されたフレームに対応する縦列のフレーム画像１ｆは横長の形状をなし、長い時間間隔で抽出されたフレームに対応する横列のサムネイル画像１ｔは縦列の形状をなしている。縦列のフレーム画像１ｆと横列のサムネイル画像１ｔとの形状を異なるものにすることで、これらの列を構成するフレーム画像１ｆ及びサムネイル画像１ｔの抽出時間間隔が異なることをユーザに対して視覚をもって認識させることができる。あるいは、これらの列を構成するフレーム画像１ｆ及びサムネイル画像１ｔの性質が異なることをユーザに対して視覚をもって印象付けることができる。
なお、フレーム画像１ｆ及びサムネイル画像１ｔの形状を同じ矩形ではなく、異なる形状にしてもよい。例えば、縦列のフレーム画像１ｆを矩形で、横列のサムネイル画像１ｔを楕円形にしてもよい。
【０１１６】
編集対象である動画像のつながりとしては、中央のフレーム画像１ｆの左側に位置する横列のサムネイル画像１ｔ群が縦列上方のフレーム画像１ｆ群につながる。また、縦列下方のフレーム画像１ｆ群が中央のフレーム画像１ｆの右側に位置する横列のサムネイル画像１ｔ群につながる。図７の一点鎖線の矢印は、縦列のフレーム画像１ｆの配列と横列のサムネイル画像１ｔの配列とが構成する動画像のつながりを示している。
なお、一点鎖線の矢印は、子画面１０Ｆに表示されてもよいし、表示されなくてもよい。また、時間の進行順に配列されるフレーム画像１ｆ及びサムネイル画像１ｔの配列方向は、図７の一点鎖線の矢印方向と逆でもよいことは勿論である。さらに、１／６０秒間隔で抽出されたフレーム画像１ｆ群を横列に、６０秒間隔で抽出されたサムネイル画像１ｔ群を縦列に配置して子画面１０Ｆに表示してもよい。
【０１１７】
はさみを入れるジェスチャにより指定される消去開始地点又は消去終了地点は、縦列のフレーム画像１ｆの間でもよいし、横列のサムネイル画像１ｔの間でもよい。ただし、縦列は１フレーム単位でフレーム画像１ｆが配列しているため、より正確な編集は縦列へのジェスチャにより行われる。
【０１１８】
子画面１０Ｆの中央のフレーム画像１ｆを縦方向にドラッグ又はフリックした場合、縦列のフレーム画像１ｆが１枚ずつドラッグ又はフリックした方向に移動する。後ろに隠れていたフレーム画像１ｆは、前面に移動し、表示される。前面に表示されていた縦列のフレーム画像１ｆは、後方へ移動し、見えなくなる。ドラッグ又はフリックする方向を逆にする場合、縦列のフレーム画像１ｆの移動方向も逆になる。また、ドラッグ又はフリックする速度に比例してフレーム画像１ｆの移動速度も変化する。
【０１１９】
子画面１０Ｆの中央のフレーム画像１ｆを横方向にドラッグ又はフリックした場合、サムネイル画像１ｔが１枚ずつドラッグ又はフリックした方向に移動する。右端又は左端に隠れていたサムネイル画像１ｔは、子画面１０Ｆの中に移動し、表示される。表示されていた横列のサムネイル画像１ｔは、横方向への移動にともない子画面１０Ｆの外へ移動し、見えなくなる。ドラッグ又はフリックする方向を逆にする場合、横列のサムネイル画像１ｔの移動方向も逆になる。また、ドラッグ又はフリックする速度に比例してサムネイル画像１ｔの移動速度も変化する。
【０１２０】
短い時間間隔で動画像ファイルから抽出されたフレームに対応する縦列のフレーム画像１ｆ群と、長い時間間隔で動画像ファイルから抽出されたフレームに対応する横列のサムネイル画像１ｔ群とは子画面１０Ｆ上でつながっている。そのため、縦列のフレーム画像１ｆと横列のサムネイル画像１ｔとは、ユーザのタッチ操作により連動して移動する。その際、縦列のフレーム画像１群の移動速度は、横列のサムネイル画像１ｔ群の移動速度よりも速い。
【０１２１】
ドラッグ又はフリックする対象のフレーム画像１ｆは、子画面１０Ｆの中央のフレーム画像１ｆに限らない。縦列のいずれかのフレーム画面１ｆを縦方向にドラッグ又はフリックした場合、ドラッグ又はフリックした方向に縦列のフレーム画像１ｆ群が移動する。そして、縦列のフレーム画像１ｆ群の移動に連動して、横列のサムネイル画像１ｔ群がゆっくりと移動する。
横列のいずれかのサムネイル画像１ｔを横方向にドラッグ又はフリックした場合、ドラッグ又はフリックした方向に横列のサムネイル画像１ｔ群が移動する。そして、横列のサムネイル画像１ｔ群の移動に連動して縦列のフレーム画像１ｆ群が高速で移動する。
【０１２２】
なお、子画面１０Ｆに表示されたフレーム画像１ｆ群及びサムネイル画像１ｔ群を移動させるタッチ操作は、ドラッグ又はフリックに限らない。例えば、子画面１０Ｆの所定位置をタップした場合、縦列のドラッグ又はフリックと同様のフレーム画像１ｆ群及びサムネイル画像１ｔ群の移動が実行されてよい。また、子画面１０Ｆの上記所定位置と異なる位置をタップした場合、横列のドラッグ又はフリックと同様のフレーム画像１ｆ群及びサムネイル画像１ｔ群の移動が実行されてよい。さらに、タップが所定時間内に繰り返し行われた場合、タップの繰り返し回数に応じてドラッグ又はフリックの速度を速くした場合の処理と同じ処理が実行されてもよい。
【０１２３】
制御部４５が実行する処理の手順は、図５及び図６に示した処理の手順とほぼ同じである。図５及び図６の処理の手順と異なる部分は、最後のステップＳ１１６において、サムネイル画像１ｔを表示するのではなく、フレーム画像１ｆ及びサムネイル画像１ｔを表示することである。
【０１２４】
制御部４５が実行する処理の手順は、図９、図１０及び図１１の処理の手順と異なる部分がある。例えば、ステップＳ２０１は、図３のシーン消去画面１Ｆのつまみ１０ｃが２回ピンチアウトされたか否かの判定処理になる。ステップＳ２０２は、図３のシーン消去画面で決定した編集位置を取得する処理である。ステップＳ２０５の後に６０秒間隔でサムネイル画像１ｔのためのフレームを動画像ファイルから抽出し、記録部４４に記録する処理が追加される。ステップＳ２０６は、抽出時間間隔が異なるフレーム画像１ｆ及びサムネイル画像１ｔを夫々縦列及び横列に表示する処理になる。ステップＳ２０７は、フレーム画像１ｆ又はサムネイル画像１ｔがドラッグ等されたか否かを判定する処理になる。ステップＳ２０８は、フレーム画像１ｆ又はサムネイル画像１ｔを特定する情報を取得する処理になる。ステップＳ２１３は、フレーム画像１ｆ及びサムネイル画像１ｔの移動を表示する処理になる。
【０１２５】
図１２のシーン消去画面１Ｆの子画面１０Ｆには、短い時間間隔で動画像ファイルから抽出された縦列のフレーム画像１ｆと、長い時間間隔で動画像ファイルから抽出された横列のサムネイル画像１ｔとが表示される。録画装置１は、縦列のフレーム画像１ｆに対するタッチ操作と、横列のサムネイル画像１ｔに対するタッチ操作とで、編集位置の移動を微細なレベルと粗いレベルとに切り替えることができる。編集位置の高速移動には横列のサムネイル画像１ｔに対してタッチ操作を行い、編集位置の低速移動には縦列のフレーム画像１ｆに対してタッチ操作を行うことで、効率的な編集作業が可能となる。
【０１２６】
実施の形態２は、１／６０秒間隔で抽出されたフレーム画像１ｆと６０秒間隔で抽出したサムネイル画像１ｔとを、夫々縦方向と横方向とに配列して子画面１０ｆに表示した。しかし、抽出されるフレーム画像１ｆ及びサムネイル画像１ｔの時間間隔は２種類に限らない。また、抽出したフレーム画像１ｆ及びサムネイル画像１ｔの表示態様は、配列に限らない。
例えば、１／６０秒間隔、１０秒間隔、６０秒間隔で夫々フレーム画像１ｆ又はサムネイル画像１ｔを抽出する。子画面１０ｆを３つの領域に分割し、抽出した３つのフレーム画像１ｆ群又はサムネイル画像１ｔ群を子画面１０ｆの各領域に表示してもよい。あるいは、１／６０秒間隔、１０秒間隔及び６０秒間隔で抽出されたフレーム画像１ｆ又はサムネイル画像１ｔを子画面１０Ｆに表示する際、所定のボタンがタップされる度に、抽出時間間隔が同一であるフレーム画像１ｆ群単位又はサムネイル画像１ｔ群単位で表示を切り替えてもよい。
【０１２７】
実施の形態２は以上の如きであり、その他は実施の形態１と同様であるので、対応する部分には同一の参照番号を付してその詳細な説明を省略する。
【０１２８】
実施の形態３
実施の形態３は、表示部及びタッチパネルを有するリモコン（リモートコントローラ）により録画装置を操作する形態に関する。
図１３は、実施の形態３に係る録画装置１０の内部構成の一例を示すブロック図である。録画装置１０は、ディスクドライブ部２、ＨＤドライブ部３、信号処理部（画面に表示する手段）４０及びリモコン（遠隔操作手段）７を含む。ディスクドライブ部２及びＨＤドライブ部３は、夫々録画装置１のディスクドライブ部２及びＨＤドライブ部３と同じである。
【０１２９】
信号処理部４０は、録画装置１の信号処理部４におけるタッチパネル制御部５２を含まず、送受信部５３を含む。送受信部５３は、例えばBluetooth（登録商標）方式、無線ＬＡＮ等の無線通信により、リモコン７と信号の送受信を行うトランシーバである。制御部４５は、録画装置１０の操作画面をリモコン７の表示部７４に表示する場合、記録部４４から操作画面に関する情報を読み出し、送受信部５３を介してリモコン７に出力する。
タイマ５１は、日時を計時し、計時した日時を制御部４５に出力する。
【０１３０】
信号処理部４０の信号出力部４８０は、外部の表示装置８とＨＤＭＩ（High-Definition Multimedia Interface、登録商標）ケーブルにより接続されている。信号出力部４８０は、画像処理部４７から受け付けた映像信号及び音声信号を、ＨＤＭＩ規格の信号に変換し、外部の表示装置８に出力する。
外部の表示装置８は、例えば液晶ディスプレイ、プラズマディスプレイ等の画面を有するテレビ受信装置である。
【０１３１】
リモコン７は、送受信部７１、デジタル信号処理部７２、画像処理部７３、表示部７４、タッチパネル７５、タイマ７６及びタッチパネル制御部（検出手段、ドラッグ操作検出手段、接触操作検出手段）７７を含む。
リモコン７のサイズは、例えばポータブルな電子書籍端末と同等である。
送受信部７１は、例えばBluetooth方式、無線ＬＡＮ等の無線通信により、信号処理部４０と信号の送受信を行うトランシーバである。送受信部７１は、例えば操作画面の映像信号を信号処理部４０から受信し、タッチパネル７５が検出した接触座標を示す信号を信号処理部４０に送信する。送受信部７１は、受信した操作画面の映像信号をデジタル信号処理部７２に出力する。
なお、リモコン７と信号処理部４０とは、有線により接続されてもよい。また、リモコン７は、スピーカを含んでもよい。
【０１３２】
デジタル信号処理部７２は、送受信部７１から操作画面の映像信号を受け付け、所定のデジタル処理を行う。デジタル信号処理部７２は、所定のデジタル処理を施した操作画面の信号を映像処理部７３に送信する。
画像処理部７３は、操作画面の信号を受け付ける。画像処理部７３は、受け付けた操作画面のデータに対して画素の補間又は色調整等の画像処理を実行し、画像処理を施した操作画面の信号を表示部７４に出力する。
【０１３３】
表示部７４及びタッチパネル７５は、夫々録画装置１の表示部５及びタッチパネル６と同じ構成である。
表示部７４は、画像処理部７３から操作画面の信号を受け付け、その薄膜表示パネルに操作画面を表示する。
タッチパネル７５は、指、スタイラス等による接触座標を検出し、タッチパネル制御部７７に検出した接触座標を示す信号を送信する。
【０１３４】
タイマ７６は、日時を計時し、計時した日時をタッチパネル制御部７７に出力する。
タッチパネル制御部７７は、タイマ７６から通知される日時に基づいて、一定時間間隔でタッチパネル７５の状態を監視する。タッチパネル制御部７７は、タッチパネル７５からの信号を受信する。タッチパネル制御部７７は、受信した信号に基づいてタッチパネル７５に物体が接触しているか否か、接触している場合、その接触座標に関する情報を、デジタル信号処理部７２及び送受信部７１を介して、信号処理部４０に送信する。
【０１３５】
録画装置１０の動作は、録画装置１の動作と同じである。
リモコンの多くはボタン操作に基づく信号を録画装置に送信する。かかるボタン操作により動画像ファイルの編集位置を指定する場合、何度もボタンを押さなければならず、時間がかかるとともに、面倒である。また、リモコン操作に慣れていないユーザにとって、かかる作業は困難である。
一方、録画装置１０によれば、複雑な動画像ファイルの編集作業が直観的なタッチ操作により可能となる。
【０１３６】
信号出力部４８０からの映像信号及び音声信号は外部の表示装置８に送信される。しかし、信号出力部４８０は映像信号及び音声信号を送受信部５３に出力してもよい。あるいは、デコーダ４６は、デコードした映像信号及び音声信号を送受信部５３に出力してもよい。これにより、リモコン７の表示部７４には、操作画面の他に、デジタルチューナ４１及びエンコーダ４２が受け付けた動画像が表示される。かかる場合、図１３に示した録画装置１０の内部構成の一例は、テレビ受像装置の内部構成の一例ともいえる。すなわち、録画装置１０は、録画機能を備えたテレビ受像装置でもある。
【０１３７】
実施の形態３は以上の如きであり、その他は実施の形態１乃至２と同様であるので、対応する部分には同一の参照番号を付してその詳細な説明を省略する。
【０１３８】
実施の形態４
実施の形態４は、ハードディスク３１に記録した放送番組をディスクＤにダビングする形態に関する。実施の形態４に係る録画装置の構成は実施の形態１に係る録画装置１の構成と同じである。
ハードディスク３１に記録された放送番組は、視聴が終了した場合、消去されることが多い。しかし、ハードディスク３１に記録した放送番組がユーザにとって保存しておきたいタイトルである場合、ＣＭ等の不要な動画像部分を消去し、残りの本編に該当する動画像部分がディスクＤにダビングされる。
【０１３９】
まず、実施の形態１で記述した操作を行い、ダビング対象である放送番組から不要なＣＭの消去開始地点及び消去終了地点を指定し、消去を実行しておく。
【０１４０】
図示しない操作トップ画面の所定のボタンがタップされた場合、制御部４５は表示部７４に図示しないダビングメニュー画面を表示する。ダビングメニューには、「ＨＤＤ（放送番組）→ＢＤ／ＤＶＤ」、「ＨＤＤ（動画アルバム）→ＢＤ／ＤＶＤ」、「ＨＤＤ（放送番組）→携帯電話（ＵＳＢ（登録商標）接続）」等の名称が示されたボタンが並んでいる。以下では、ＨＤドライブ部３のハードディスク３１に記録した放送番組をＢＤのディスクＤにダビングする場合を扱う。
【０１４１】
ディスクドライブ部２のディスクドライブ２１にＢＤのディスクＤを挿入する。ダビングメニュー画面の「ＨＤＤ（放送番組）→ＢＤ／ＤＶＤ」ボタンをタップした場合、ダビングタイトル選択画面が表示部７４に表示される。
【０１４２】
図１４は、ダビングタイトル選択画面２Ｆの一例を示す説明図である。ダビングタイトル選択画面２Ｆは、ダビング対象の放送番組を選択する画面である。タイトルは、録画した番組のことである。ダビングタイトル選択画面２Ｆは、戻るボタン８ｃ、ダビングボタン９ｃ、子画面２０Ｆ及び子画面２１Ｆを含む。
戻るボタン８ｃがタップされた場合、ダビングタイトル選択画面２Ｆからダビングメニュー画面に戻る。ダビングボタン９ｃがタップされた場合、設定された条件でダビングが開始される。
【０１４３】
子画面２０Ｆには、ハードディスク３１に記録されている放送番組の動画像ファイルがサムネイル画像２ｔとして表示される。図１４では、４タイトルのサムネイル画像２ｔが表示されている。サムネイル画像２ｔは、静止画像でもよいし、動画像でもよい。
【０１４４】
ハードディスク３１に４タイトル以上の放送番組が記録されている場合、子画面２０Ｆの右端上でドラッグ又はフリックを行うとき、子画面２０Ｆがスクロールされ、図１４に表示されていないタイトルのサムネイル画像２ｔを子画面２０Ｆに表示することができる。
また、ハードディスク３１に４タイトル以上の放送番組が記録されている場合、子画面２０Ｆ上でピンチインを行うとき、各サムネイル画像２ｔが縮小され、図１４に表示されていないタイトルのサムネイル画像２ｔも含めて、子画面２０Ｆに表示することができる。子画面２０Ｆ上でピンチアウトを行う場合、各サムネイル画像２ｔが拡大され、子画面２０Ｆに４タイトルまでのサムネイル画像２ｔが表示される状態に戻すことができる。
子画面２０Ｆの左端でダブルタップを行う場合、サムネイル画像２ｔがそれに対応する動画像ファイルのタイトル名の昇順に並び替えられて子画面２０Ｆに再表示される。子画面２０Ｆの左端でさらにダブルタップを行う場合、サムネイル画像２ｔがそれに対応する動画像ファイルの録画日時の昇順に並び替えられて子画面２０Ｆに再表示される。さらに、録画時間等に基づくサムネイル画像２ｔの並び替えが行われてもよい。
【０１４５】
子画面２１Ｆは、ダビング対象の動画像ファイルの一時仮置き場を示す画面である。ダビング対象の動画像ファイルが全く未選択である場合、子画面２１Ｆには何も表示されない。ダビング対象の動画像ファイルに対応するサムネイル画像２ｔを子画面２０Ｆから子画面２１Ｆにドラッグした場合、ドラッグされたサムネイル画像２ｔが子画面２１Ｆに表示される。図１４は、番組１及び番組３に対応する動画像ファイルがダビング対象として選択された状態を示している。
【０１４６】
サムネイル画像２ｔのドラッグに際し、例えば指がサムネイル画像２ｔに触れた場合、半透明のサムネイル画像２ｔが生成され、指が接触している子画面２０Ｆ部分に半透明のサムネイル画像２ｔが表示される。ユーザが指を子画面２０Ｆから子画面２１Ｆにドラッグする場合、半透明のサムネイル画像２ｔは指の動きに追随して移動する。ユーザがタッチパネル６から指を離した場合、半透明のサムネイル画像２ｔは表示されなくなる。
【０１４７】
上述した子画面２０Ｆ上でのドラッグ、フリック、ピンチイン、ピンチアウト及びダブルタップに対する処理と同じ処理が、子画面２１Ｆ上でも実行される。
ダビング対象の動画像ファイル選択を解除したい場合には、解除したい動画像ファイルに対応するサムネイル画像２ｔを子画面２１Ｆから子画面２０Ｆにドラッグする。子画面２１Ｆから子画面２０Ｆにドラッグされたサムネイル画像２ｔは、子画面２１Ｆに表示されなくなる。
【０１４８】
ダビング対象の動画像ファイルを選択し、ダビングボタン９ｃをタップした場合、ハードディスク３１からＢＤのディスクＤへダビングが開始される。ダビングが終了した場合、ダビング対象の動画像ファイルに対応するサムネイル画像２ｔは子画面２１Ｆに表示されなくなる。また、１回だけ録画可能な放送番組をダビングした場合及びダビング１０の放送番組を１０回目にダビングした場合、ダビング対象の動画像ファイルに対応するサムネイル画像２ｔは子画面２０Ｆに表示されなくなる。
【０１４９】
実施の形態４に係る録画装置１によれば、直観的なタッチ操作により、ダビング対象である動画像ファイルを選択することができる。
【０１５０】
実施の形態４は以上の如きであり、その他は実施の形態１乃至３と同様であるので、対応する部分には同一の参照番号を付してその詳細な説明を省略する。
【０１５１】
実施の形態５
実施の形態５は、録画装置を備えたテレビ受像装置に関する。
図１５は、テレビ受像装置９の内部構成の一例を示すブロック図である。テレビ受像装置９は、実施の形態１に係る録画装置１の構成部と同じ構成部を含む。また、テレビ受像装置９は、テレビ表示部（動画像表示部）９１を含む。
【０１５２】
テレビ表示部９１は、画面９１０、表示部５及びタッチパネル６を含む。
画面９１０は、例えばバックライトと液晶パネルとを有し、そのサイズは、表示部５又はタッチパネル６より大きい。表示部５及びタッチパネル６は、例えば画面９１０の外側正面に配置されている。
【０１５３】
テレビ表示部９１は、デジタルチューナ４１又はエンコーダ４２が受け付けた動画像に係る信号を、信号出力部４８を介して受け付け、画面９１０に当該動画像を表示する。また、テレビ表示部９１は、ディスクＤ又はハードディスク３１に記録した動画像に係る信号を、信号出力部４８を介して受け付け、画面９１０に当該動画像を表示する。さらに、テレビ表示部９１は、操作画面に係る信号を、信号出力部４８を介して表示部５に出力する。
【０１５４】
ユーザは、テレビ表示部９１内のタッチパネル６から動画像の編集をすることができる。または、ユーザは、テレビ表示部９１内のタッチパネル６からテレビ受像装置９を操作することもできる。例えば、表示部５には複数の放送番組に係るチャンネルボタンが表示され、所望のチャンネルボタンをタップすることにより、チャンネルが切り替わる。
【０１５５】
テレビ受像装置９によれば、内部に備えた録画装置１が録画した動画像を直観的な操作により編集することができる。また、テレビ受信装置９は、編集前後の動画像をテレビ表示部９１の画面９１０に表示することができる。
【０１５６】
テレビ受像装置９は、リモコンを有していてもよい。かかる場合、テレビ受像装置９は図１３の表示装置８をテレビ表示部９１に置き換えた構成を有していてもよい。ユーザは、リモコン７のタッチパネル７５を操作して、放送番組のチャンネル切り替え等を行うとともに、ディスクドライブ部２又はＨＤドライブ部３の操作を行う。また、ユーザは、ディスクＤ又はハードディスク３１に記録した動画像の編集もリモコン７を介して行うことができる。
操作画面を表示する表示部と当該表示部に重畳されたタッチパネルとは、リモコン７だけに設けられていてもよいし、テレビ表示部９１だけに設けられてもよいし、リモコン７とテレビ表示部９１との両方に設けられていてもよい。後者の場合、ユーザは必要に応じてリモコン７のタッチパネル７５とテレビ表示部９１のタッチパネル６とを使い分けることができる。
【０１５７】
実施の形態５は以上の如きであり、その他は実施の形態１乃至４と同様であるので、対応する部分には同一の参照番号を付してその詳細な説明を省略する。
【符号の説明】
【０１５８】
１、１０    録画装置
２          ディスクドライブ部（再生手段、ダビングする手段、録画する手段）
３          ＨＤドライブ部（再生手段、ダビングする手段、録画する手段）
３１        ハードディスク（記録媒体）
４、４０    信号処理部
４１        デジタルチューナ（受信部）
４５        制御部（抽出手段、表示手段、決定手段、絵文字表示手段、判定手段、サムネイル表示手段、特定手段、インジケータ表示手段、変更手段）
５、７４    表示部
５２、７７  タッチパネル制御部（検出手段、ドラッグ操作検出手段、接触操作検出手段）
５３        送受信部
６、７５    タッチパネル
７          リモコン（遠隔操作手段）
９          テレビ受像装置
９１        テレビ表示部（動画像表示部）
１ｃ        スライダ（時間の長さを示す画面構成部品）
１０ｃ      つまみ（インジケータ）
１ｔ、２ｔ  サムネイル画像
１ｆ        フレーム画像
１ｉ        はさみアイコン（絵文字）
Ｄ          ディスク（記録媒体）
【図１】
2012175281.tif 000003
【図２】
2012175281.tif 000004
【図３】
2012175281.tif 000005
【図４】
2012175281.tif 000006
【図５】
2012175281.tif 000007
【図６】
2012175281.tif 000008
【図７】
2012175281.tif 000009
【図８】
2012175281.tif 000010
【図９】
2012175281.tif 000011
【図１０】
2012175281.tif 000012
【図１１】
2012175281.tif 000013
【図１２】
2012175281.tif 000014
【図１３】
2012175281.tif 000015
【図１４】
2012175281.tif 000016
【図１５】
2012175281.tif 000017